(57)【要約】  バッテリーセルフレームを開示する。本発明の一実施例によるバッテリーセルフレームは、バッテリーセルの電極リードに電気的に結合するバスバーと、バスバーに結合し、バッテリーセルが接触して前記バッテリーセルを支持する支持部材と、支持部材に形成され、バッテリーセルの大きさに対応するように長さが変化する可変長部と、を備える。
2020507184.tif 000002
【特許請求の範囲】
【請求項１】
バッテリーセルの電極リードに電気的に結合するバスバーと、
前記バスバーに結合し、前記バッテリーセルが接触して前記バッテリーセルを支持する支持部材と、
前記支持部材に形成され、前記バッテリーセルの大きさに対応するように長さが変化する可変長部と、
を備えることを特徴とするバッテリーセルフレーム。
【請求項２】
前記可変長部は、
前記支持部材の短辺方向へ長さが変化するように形成される第１可変長部と、
前記支持部材の長辺方向へ長さが変化するように形成される第２可変長部と、
を含むことを特徴とする、請求項１に記載のバッテリーセルフレーム。
【請求項３】
前記第１可変長部は、
前記バスバーの一側に固定されるように結合する固定部と、
前記固定部と対向する位置で前記バスバーの他側へ移動可能に結合する移動部と、
を含むことを特徴とする、請求項２に記載のバッテリーセルフレーム。
【請求項４】
前記バスバーは、
前記バッテリーセルの電極リードが結合する電気的接続部と、
前記電気的接続部の一側へ延び、前記固定部が結合する第１結合部と、
前記電気的接続部の他側へ延び、前記移動部が結合する第２結合部と、
を含むことを特徴とする、請求項３に記載のバッテリーセルフレーム。
【請求項５】
前記バスバーは、前記固定部及び前記移動部の高さを基準で、前記固定部の中心及び前記移動部の中心から外れた位置で前記固定部及び前記移動部に結合することを特徴とする、請求項３又は４に記載のバッテリーセルフレーム。
【請求項６】
前記バスバーは、前記固定部の中心及び前記移動部の中心の下側で前記固定部及び前記移動部に結合することを特徴とする、請求項５に記載のバッテリーセルフレーム。
【請求項７】
前記第２可変長部は、回転またはねじれによるエネルギーを貯蔵し、収縮と膨張が可能な螺旋ばねを備えることを特徴とする、請求項２から６のいずれか一項に記載のバッテリーセルフレーム。
【請求項８】
前記第２可変長部には、熱を伝達する熱伝達物質が結合することを特徴とする、請求項２から７のいずれか一項に記載のバッテリーセルフレーム。
【請求項９】
前記熱伝達物質は、前記螺旋ばねが膨張した状態で前記螺旋ばねに結合することを特徴とする、請求項７を引用する請求項８に記載のバッテリーセルフレーム。
【請求項１０】
前記熱伝達物質は、前記螺旋ばねの少なくとも一部を囲むように結合することを特徴とする、請求項９に記載のバッテリーセルフレーム。
【請求項１１】
請求項１から１０のいずれか一項に記載のバッテリーセルフレームと、
前記バッテリーセルフレームのバスバーに電気的に結合し、前記バッテリーセルフレームの支持部材に接触するバッテリーセルと、
を備え、
前記バッテリーセルが複数設けられ、前記複数のバッテリーセルが相互に積層される、バッテリーモジュール。
【請求項１２】
前記バッテリーセルの電極リードは、段差が形成されるように前記バスバーに結合することを特徴とする、請求項１１に記載のバッテリーモジュール。
【請求項１３】
請求項１１又は１２に記載のバッテリーモジュールを含む、バッテリーパック。
【請求項１４】
請求項１１又は１２に記載のバッテリーモジュールを含む、自動車。
【発明の詳細な説明】
【技術分野】
【０００１】
本発明は、バッテリーセルフレーム及びこれを含むバッテリーモジュールに関し、より詳しくは、モジュール化及び共用化が可能なバッテリーセルフレーム及びこれを含むバッテリーモジュールに関する。
【０００２】
本出願は、２０１７年８月８日出願の韓国特許出願第１０−２０１７−０１００４７７号に基づく優先権を主張し、当該出願の明細書及び図面に開示された内容は、すべて本出願に組み込まれる。
【背景技術】
【０００３】
モバイル機器に関する技術開発及び需要が増加するにつれ、エネルギー源としての二次電池の需要が急激に増加しつつあり、従来、二次電池としてニッケルカドミウム電池または水素イオン電池が用いられていたが、最近は、ニッケル系の二次電池に比べてメモリー効果がほとんど起こらないため充電及び放電が自由であり、自己放電率が非常に低く、エネルギー密度が高いリチウム二次電池が広く用いられている。
【０００４】
このようなリチウム二次電池は、主にリチウム系酸化物と炭素材を各々正極活物質と負極活物質として使用する。リチウム二次電池は、このような正極活物質及び負極活物質が各々塗布された正極板及び負極板がセパレータを挟んで配置された電極組立体と、電極組立体を電解液とともに封止して収納する外装材、即ち、電池ケースと、を備える。
【０００５】
リチウム二次電池は、正極、負極及びこれらの間に介されるセパレータ及び電解質からなり、正極活物質及び負極活物質に何を使用するかによって、リチウムイオン電池（Ｌｉｔｈｉｕｍ  Ｉｏｎ  Ｂａｔｔｅｒｙ，ＬＩＢ）、リチウムポリマー電池（Ｐｏｌｙｍｅｒ  Ｌｉｔｈｉｕｍ  Ｉｏｎ  Ｂａｔｔｅｒｙ，ＰＬＩＢ）などに分けられる。通常、これらのリチウム二次電池の電極は、アルミニウムまたは銅シート、メッシュ、フィルム、ホイルなどの集電体に、正極または負極活物質を塗布した後、乾燥することで形成される。
【０００６】
図１は、従来のバッテリーセルに備えられた電極リードとバスバーとが電気的に結合した様子を示した図である。図１を参照すれば、従来技術の場合、複数のバッテリーセル１０に各々備えられた電極リード２０を曲げてバスバー３０の面に接触した後、溶接４０によって結合していたが、この場合、電極リード２０の曲げ形状を維持するために作業者による多数の手作業が要求され、金属材質の電極リード２０の弾性回復力によって電極リード２０とバスバー３０とが密着せず、また、複数の電極リード２０がバスバー３０の一箇所で重なった後に溶接４０されるので、溶接性が劣るという問題点がある。
【０００７】
また、バッテリーセルのサイズが多様であるため、バッテリーセルのサイズに応じて各々異なる大きさのフレームが必要となり、生産性が低下するという問題点があり、フレームにバッテリーセルを組み立てた後、サーマルレジン（Ｔｈｅｒｍａｌ  Ｒｅｓｉｎ）を注入するため、不良発生率が高いという問題点がある。
【発明の概要】
【発明が解決しようとする課題】
【０００８】
本発明は、上記問題点に鑑みてなされたものであり、一つのフレームを以って多様なサイズのバッテリーセルに各々結合可能なバッテリーセルフレーム及びこれを含むバッテリーモジュールを提供することを目的とする。
【０００９】
また、本発明は、バッテリーセルが接触する熱伝達物質の結合時、不良発生率を減少させることができるバッテリーセルフレーム及びこれを含むバッテリーモジュールを提供することを他の目的とする。
【００１０】
また、電極リードが重ねられないため、溶接性が向上するバッテリーモジュール及びこれを含むバッテリーパックを提供することをさらに他の目的とする。
【課題を解決するための手段】
【００１１】
上記の課題を達成するため、本発明の一面によれば、バッテリーセルの電極リードに電気的に結合するバスバーと、前記バスバーに結合し、前記バッテリーセルが接触して前記バッテリーセルを支持する支持部材と、前記支持部材に形成され、前記バッテリーセルの大きさに対応するように長さが変化する可変長部と、を備えるバッテリーセルフレームを提供することができる。
【００１２】
また、前記可変長部は、前記支持部材の短辺方向へ長さが変化するように形成される第１可変長部と、前記支持部材の長辺方向へ長さが変化するように形成される第２可変長部とを、含み得る。
【００１３】
そして、前記第１可変長部は、前記バスバーの一側に固定されるように結合する固定部と、前記固定部と対向する位置で前記バスバーの他側へ移動可能に結合する移動部と、を含み得る。
【００１４】
また、前記バスバーは、前記バッテリーセルの電極リードが結合する電気的接続部と、前記電気的接続部の一側へ延び、前記固定部が結合する第１結合部と、前記電気的接続部の他側へ延び、前記移動部が結合する第２結合部と、を含み得る。
【００１５】
そして、前記バスバーは、前記固定部及び前記移動部の高さを基準で、前記固定部の中心及び前記移動部の中心から外れた位置で前記固定部及び前記移動部に結合し得る。
【００１６】
また、前記バスバーは、前記固定部の中心及び前記移動部の中心の下側で前記固定部及び前記移動部に結合し得る。
【００１７】
そして、前記第２可変長部は、回転またはねじれによるエネルギーを貯蔵し、収縮と膨張が可能な螺旋ばねを備え得る。
【００１８】
また、前記第２可変長部には、熱を伝達する熱伝達物質（Ｔｈｅｒｍａｌ  Ｉｎｔｅｒｆａｃｅ  Ｍａｔｅｒｉａｌ，ＴＩＭ）が結合し得る。
【００１９】
そして、前記熱伝達物質は、前記螺旋ばねが膨張した状態で前記螺旋ばねに結合し得る。
【００２０】
また、前記熱伝達物質は、前記螺旋ばねの少なくとも一部を囲むように結合し得る。
【００２１】
本発明の他面によれば、前述のバッテリーセルフレームと、前記バッテリーセルフレームのバスバーに電気的に結合し、前記バッテリーセルフレームの支持部材に接触するバッテリーセルと、を備え、前記バッテリーセルが複数で設けられ、前記複数のバッテリーセルが相互に積層されるバッテリーモジュールを提供することができる。
【００２２】
また、前記バッテリーセルの電極リードは、段差が形成されるように前記バスバーに結合し得る。
【００２３】
なお、本発明の他面によれば、前述のバッテリーモジュールを含むバッテリーパックを提供することができ、また、前記バッテリーモジュールを含む自動車を提供することができる。
【発明の効果】
【００２４】
本発明の実施例は、フレームが、バッテリーセルの大きさに対応するように長さが変化する可変長部を備えるため、一つのフレームを以って多様なサイズのバッテリーセルに各々結合できるという効果を奏する。
【００２５】
また、第２可変長部の長さを変化させた後、第２可変長部に熱伝達物質が結合してバッテリーセルに接触するため、不良発生率を減少させることができる効果を奏する。
【００２６】
また、複数の電極リードが複数のバスバーに各々結合するため、電極リードが重ねられず、これによって、溶接性が向上する効果を奏する。
【図面の簡単な説明】
【００２７】
【図１】従来のバッテリーセルに備えられた電極リードとバスバーとが電気的に結合した様子を示した図である。
【図２】本発明の一実施例によるバッテリーセルフレームにバッテリーセルが結合した様子を概略的に示した斜視図である。
【図３】本発明の一実施例によるバッテリーセルフレームにおいて電極リードがバスバーに結合した様子を示した斜視図である。
【図４】本発明の一実施例によるバッテリーセルフレームの平面図である。
【図５】（ａ）及び（ｂ）は、図４のバッテリーセルフレームにおいて第１可変長部による長さの変化を示した図である。
【図６】図４のバッテリーセルフレームにおいて第２可変長部による長さ変化を示した図である。
【図７】図２のバッテリーセルフレームにおいて熱伝達物質が分離した様子を示した斜視図である。
【図８】図７において、熱伝達物質がバッテリーセルフレームに結合した様子を示した側断面図である。
【図９】本発明の一実施例によるバッテリーモジュールを概略的に示した斜視図である。
【図１０】図９の線Ａ−Ａ′に沿って見た断面図である。
【発明を実施するための形態】
【００２８】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２９】
図面における各構成要素またはその構成要素をなす特定部分の大きさは、説明の便宜及び明確性のために誇張または省略されるか、概略的に示されることがある。したがって、各構成要素の大きさは、実際の大きさを完全に反映することではない。本発明に関連する公知の機能または構成についての具体的な説明が、本発明の要旨を不要にぼやかすと判断される場合、その説明を略する。
【００３０】
本明細書において使用される「結合」または「連結（接続）」という用語は、一つの部材と他の部材とが直接結合するか、または直接連結（接続）される場合のみならず、一つの部材が接続部材を介して他の部材に間接的に結合するか、または間接的に連結（接続）される場合も含む。
【００３１】
図２は、本発明の一実施例によるバッテリーセルフレームにバッテリーセルが結合した様子を概略的に示した斜視図であり、図３は、本発明の一実施例によるバッテリーセルフレームにおいて電極リードがバスバーに結合した様子を示した斜視図であり、図４は、本発明の一実施例によるバッテリーセルフレームの平面図であり、図５の（ａ）及び（ｂ）は、図４のバッテリーセルフレームにおいて第１可変長部による長さの変化を示した図であり、図６は、図４のバッテリーセルフレームにおいて第２可変長部による長さの変化を示した図である。
【００３２】
図２〜図６を参照すれば、本発明の一実施例によるバッテリーセルフレーム１００は、バスバー１１０と、支持部材１２０と、可変長部１３０と、を備える。
【００３３】
バスバー１１０は、バッテリーセル２００に備えられた電極リード２１０に結合して電極リード２１０を電気的に接続する。ここで、電気的接続には、直列または並列が含まれる。この際、バスバー１１０は、電気的接続部１１１と、第１結合部１１２と、第２結合部１１３と、を含み得る（図２参照）。電気的接続部１１１には、バッテリーセル２００の電極リード２１０が結合し得る（図３参照）。電気的接続部１１１は、銅などの導電性材質からなり、電極リード２１０の大きさ及び形状に対応する形状及び大きさを有する。第１結合部１１２は、電気的接続部１１１の一側へ延び、後述する第１可変長部１３１の固定部１３２が第１結合部１１２に結合して固定される。第２結合部１１３は、電気的接続部１１１の他側へ延び、後述する第１可変長部１３１の移動部１３３が第２結合部１１３に移動可能に結合する。
【００３４】
バスバー１１０は、固定部１３２及び移動部１３３の高さを基準で多様な高さで固定部１３２及び移動部１３３に結合し得る。例えば、バスバー１１０は、固定部１３２と移動部１３３の高さを基準で固定部１３２の中心及び移動部１３３の中心に位置するように固定部１３２及び移動部１３３に結合し得、または、固定部１３２及び移動部１３３の高さを基準で固定部１３２の中心と移動部１３３の中心から外れた位置、例えば、固定部１３２の中心及び移動部１３３の中心の下側で固定部１３２及び移動部１３３に結合し得る。バスバー１１０が固定部１３２の中心及び移動部１３３の中心に位置するか、または、固定部１３２の中心及び移動部１３３の中心から外れた部分に位置する場合、バッテリーセル２００の電極リード２１０は、図３のように段差が形成されるようにバスバー１１０に結合し得る。このように電極リード２１０に段差が形成されてバスバー１１０に結合されれば、後述するバッテリーモジュール３００において、複数のバッテリーセル２００の積層時、バッテリーセルフレーム１００を覆して積層する場合、いずれか一つの電極リード２１０と他の一つの電極リード２１０とが接触して短絡（Ｓｈｏｒｔ）が発生することを防止することができる。
【００３５】
支持部材１２０は、バスバー１１０に結合し、バッテリーセル２００が接触してバッテリーセル２００を支持するように設けられる。ここで、支持部材１２０には、バッテリーセル２００の大きさに対応するように長さが変化する可変長部１３０が形成される。このように支持部材１２０に形成された可変長部１３０によって多様な大きさのバッテリーセル２００に対してもバッテリーセルフレーム１００の結合が可能な効果を奏する。
【００３６】
可変長部１３０は、支持部材１２０の短辺方向へ長さが変化するように形成される第１可変長部１３１と、支持部材１２０の長辺方向へ長さが変化するように形成される第２可変長部１３５と、を含み得る。ここで、支持部材１２０には、第１可変長部１３１及び第２可変長部１３５が共に含まれ得、または、第１可変長部１３１及び第２可変長部１３５のいずれか一つのみが含まれ得る。第１可変長部１３１は、固定部１３２及び移動部１３３を含み得る。図４を参照すれば、固定部１３２は、バスバー１１０の一側、例えば、バスバー１１０の第１結合部１１２に固定されるように結合し、移動部１３３は、固定部１３２と対向する位置でバスバー１１０の他側、例えば、バスバー１１０の第２結合部１１３に移動可能に結合し得る。即ち、図５の（ａ）及び（ｂ）を参照すれば、第１可変長部１３１の固定部１３２は、バスバー１１０に固定されたまま、第１可変長部１３１の移動部１３３のみがバスバー１１０に沿って、例えば、直線に移動しながらバッテリーセル２００の短辺の長さに対応するように長さを変化させることができる（図５の（ｂ）の矢印参照）。他の実施例において、第１可変長部１３１は、固定部１３２がなくて全て移動部１３３から構成されることも可能である。そして、第２可変長部１３５は、回転またはねじれによるエネルギーを貯蔵して収縮及び膨張が可能な螺旋ばねであり得る。例えば、ぜんまいばねが支持部材１２０に備えられて支持部材１２０の長辺方向へ収縮及び膨張しながらバッテリーセル２００の長辺の長さに対応するように長さを変化させることができる。例えば、図４のように螺旋ばねが収縮した状態で図６のように長辺方向へ螺旋ばねが膨張するように設けられ得る。但し、第２可変長部１３５は螺旋ばねに限定されず、長辺方向への収縮と膨張が可能であれば、多様な構成にすることができる。
【００３７】
図７は、図２のバッテリーセルフレームにおいて熱伝達物質が分離した様子を示した斜視図であり、図８は、図７において熱伝達物質がバッテリーセルフレームに結合した様子を示した側断面図である。
【００３８】
バッテリーセル２００で発生する熱を放出するために、第２可変長部１３５には熱を伝達する熱伝達物質（Ｔｈｅｒｍａｌ  Ｉｎｔｅｒｆａｃｅ  Ｍａｔｅｒｉａｌ，ＴＩＭ）１４０が結合し得、熱伝達物質１４０は、バッテリーセル２００に直接または間接的に接触し得る。従来には、フレームにバッテリーセル２００を組み立てた後にサーマルレジン（Ｔｈｅｒｍａｌ  Ｒｅｓｉｎ）を注入するため、不良発生率が高いという問題点があったが、本発明の一実施例によるバッテリーセルフレーム１００の場合、螺旋ばねが膨張した状態で熱伝達物質１４０が螺旋ばねに結合、例えば、熱伝達物質１４０が螺旋ばねの少なくとも一部を囲むように結合するため、放熱効率が高くて不良発生率が減少する効果を奏する。また、図７のように螺旋ばねが膨張した状態でその長さに合わせて熱伝達物質１４０を切断し、図８のように熱伝達物質１４０を略「コ」字状に形成し、第２可変長部１３５の螺旋ばねを囲むように結合できるため、設置が容易であるという長所がある。
【００３９】
以下、図面を参照して本発明の一実施例によるバッテリーセルフレーム１００の作用及び効果について説明する。
【００４０】
図２〜図８を参照すれば、本発明の一実施例によるバッテリーセルフレーム１００は、支持部材１２０の短辺方向へ長さが変化するように形成される第１可変長部１３１と、支持部材１２０の長辺方向へ長さが変化するように形成される第２可変長部１３５を備え、これによってバッテリーセル２００の多様な大きさに対応して長さ調節が可能である。ここで、第１可変長部１３１は、バスバー１１０の一側に固定されるように結合する固定部１３２と、固定部１３２と対向する位置でバスバー１１０の他側に移動可能に結合する移動部１３３を含んで支持部材１２０の短辺方向へ長さを変化させることができ、第２可変長部１３５は、収縮と膨張が可能な螺旋ばねを備えて支持部材１２０の長辺方向へ長さを変化させることができる。
【００４１】
一方、螺旋ばねが膨張した状態で熱伝達物質１４０が螺旋ばねの少なくとも一部を囲むように結合するので、放熱効率が高くて不良発生率が減少する効果を奏する。
【００４２】
図９は、本発明の一実施例によるバッテリーモジュールの概略的な斜視図であり、図１０は、図９の線Ａ−Ａ′に沿って見た断面図である。
【００４３】
以下、図面を参照して本発明の一実施例によるバッテリーモジュール３００の作用及び効果について説明する。
【００４４】
本発明の一実施例によるバッテリーモジュール３００は、前述の実施例のバッテリーセルフレーム１００のバスバー１１０にバッテリーセル２００の電極リード２１０が電気的に結合し、バッテリーセル２００がバッテリーセルフレーム１００の支持部材１２０に接触して支持される。そして、バッテリーセルフレーム１００に結合した複数のバッテリーセル２００が相互積層されることでバッテリーセル積層体を形成できる。
【００４５】
バッテリーセル積層体は、複数のバッテリーセル２００が積層されるように構成され得る（図９及び図１０参照）。バッテリーセル２００は、多様な構造を有し得、また、複数のバッテリーセル２００は多様な方式で積層され得る。バッテリーセル２００は、正極板／セパレーター／負極板の順に配列される単位セル（Ｕｎｉｔ  Ｃｅｌｌ）、または、正極板／セパレーター／負極板／セパレーター／正極板／セパレーター／負極板の順に配列されたバイセル（Ｂｉ−Ｃｅｌｌ）を電池容量に合わせて複数個を積層した構造を有し得る。
【００４６】
バッテリーセル２００には、電極リード２１０が備えら得る。電極リード２１０は、外部へ露出して外部機器に連結される一種の端子であって、伝導性材質であり得る。電極リード２１０は、正極電極リード及び負極電極リードを含み得る。正極電極リード及び負極電極リードは、バッテリーセル２００の長手方向において相互逆方向に配置してもよく、または、正極電極リードと負極電極リードとがバッテリーセル２００の長手方向において相互同じ方向に位置してもよい。電極リード２１０は、後述するバスバー１１０の導電部材に電気的に結合する。
【００４７】
バッテリーセル２００の電極リード２１０は、段差が形成されるようにバスバー１１０に結合し得る（図９及び図１０参照）。これは、前述のバッテリーセルフレーム１００の実施例のように複数のバッテリーセル２００を積層するとき、バッテリーセルフレーム１００を覆して積層する場合、いずれか一つの電極リード２１０と他の一つの電極リード２１０とが接触して短絡が発生することを防止するためである。
【００４８】
一方、本発明の一実施例によるバッテリーパック（図示せず）は、前述のような本発明の一実施例によるバッテリーモジュール３００を一つ以上含み得る。また、前記バッテリーパック（図示せず）は、バッテリーモジュール３００に加え、このようなバッテリーモジュール３００を収納するためのケース、バッテリーモジュール３００の充放電を制御するための各種装置、例えば、ＢＭＳ、電流センサー、ヒューズなどをさらに含み得る。
【００４９】
一方、本発明の一実施例による自動車（図示せず）は、前述のバッテリーモジュール３００、またはバッテリーパック（図示せず）を含み得、前記バッテリーパック（図示せず）には、前記バッテリーモジュール３００が含まれ得る。そして、本発明の一実施例によるバッテリーモジュール３００は、前記自動車（図示せず）、例えば、電気自動車やハイブリッド自動車のような電気を使用するように設けられる所定の自動車（図示せず）に適用することができる。
【００５０】
以上のように、本発明を限定された実施例と図面によって説明したが、本発明はこれに限定されず、本発明の属する技術分野における通常の知識を持つ者によって本発明の技術思想と特許請求の範囲の均等範囲内で多様な修正及び変形が可能であることは言うまでもない。
【産業上の利用可能性】
【００５１】
本発明は、バッテリーセルフレーム及びこれを含むバッテリーモジュールに関し、特に、二次電池関連産業に利用可能である。
【符号の説明】
【００５２】
１００  バッテリーセルフレーム
１１０  バスバー
１１１  電気的接続部
１１２  第１結合部
１１３  第２結合部
１２０  支持部材
１３０  可変長部
１３１  第１可変長部
１３２  固定部
１３３  移動部
１３５  第２可変長部
１４０  熱伝達物質
２００  バッテリーセル
２１０  電極リード
３００  バッテリーモジュール
【図１】
2020507184.tif 000003
【図２】
2020507184.tif 000004
【図３】
2020507184.tif 000005
【図４】
2020507184.tif 000006
【図５（ａ）】
2020507184.tif 000007
【図５（ｂ）】
2020507184.tif 000008
【図６】
2020507184.tif 000009
【図７】
2020507184.tif 000010
【図８】
2020507184.tif 000011
【図９】
2020507184.tif 000012
【図１０】
2020507184.tif 000013
【国際調査報告】
2020507184.tif 000014
2020507184.tif 000015
2020507184.tif 000016
2020507184.tif 000017